(57)【要約】      （修正有）【課題】少数コアしか必要としない結合トランスとマルチランプの駆動回路を提供する。【解決手段】本結合トランスは、第１のコア、第２のコア、第１の一次コイル、第１の二次コイル、第２の一次コイル、第２の二次コイルを含む。第１のコアは、第１の側柱と第２の側柱を含む。第２のコアは第３の側柱と第４の側柱を含む。第１の一次コイルは第１の側柱の周囲に巻き付けられる。第１の二次コイルは、第１の一次コイルに対応しており、第３の側柱の周囲に巻き付けられる。第２の一次コイルは第２の側柱の周囲に巻き付けられる。第２の二次コイルは、第２の一次コイルに対応しており、第４の側柱の周囲に巻き付けられる。第１のコアと第２のコアは第１の磁路と第２の磁路を形成する。第１の一次コイル、第１の二次コイル、および第１の磁路は第１のトランスを形成する。第２の一次コイル、第２の二次コイル、および第２の磁路は第２のトランスを形成する。【選択図】図２
0003154912.tif 000002
【実用新案登録請求の範囲】
【請求項１】
第１の側柱、第１の中央柱、および第２の側柱を含み、第１の側柱、第１の中央柱、および第２の側柱が接続された第１のコアと、
前記第１の中央柱に突き合わされた第２の中央柱、第１の側柱に突き合わされた第３の側柱、および第２の側柱に突き合わされた第４の側柱を含み、第２の中央柱、第３の側柱、および第４の側柱が接続された第２のコアと、
前記第１のコアの第１の側柱に巻き付けられた第１の一次コイルと、
前記第２のコアの第３の側柱に巻き付けられ、第１の一次コイルに対応した第１の二次コイルと、
前記第１のコアの第２の側柱に巻き付けられた第２の一次コイルと、
前記第２のコアの第４の側柱に巻き付けられ、第２の一次コイルに対応した第２の二次コイルと、
を備え、
前記第１の側柱と第３の側柱が相互に突き合わされ、第１の中央柱と第２の中央柱が相互に突き合わされて第１の磁路を形成し、
前記第２の側柱と第４の側柱が相互に突き合わされ、第１の中央柱と第２の中央柱が相互に突き合わされて第２の磁路を形成し、
前記第１の一次コイル、第１の二次コイル、第１の磁路によって第１のトランスを形成し、
前記第２の一次コイル、第２の二次コイル、第２の磁路によって第２のトランスを形成した
結合トランス。
【請求項２】
前記第１の一次コイルが第１の側柱を覆って配置された第１のプラスチック筒に巻き付けられ、
前記第２の一次コイルが第２の側柱を覆って配置された第２のプラスチック筒に巻き付けられた
請求項１の結合トランス。
【請求項３】
前記第１の二次コイルが第３の側柱を覆って配置された第１のプラスチック筒に巻き付けられ、
前記第２の二次コイルが第４の側柱を覆って配置された第２のプラスチック筒に巻き付けられた
請求項１の結合トランス。
【請求項４】
照明装置に供給する高電圧信号の入力に使用されるマルチランプの駆動回路であって、
第１の側柱、第１の中央柱、および第２の側柱を含み、第１の側柱、第１の中央柱、および第２の側柱が接続された第１のコアと、
前記第１の中央柱に突き合わされた第２の中央柱、第１の側柱に突き合わされた第３の側柱、および第２の側柱に突き合わされた第４の側柱を含み、第２の中央柱、第３の側柱、および第４の側柱が接続された第２のコアと、
前記第１のコアの第１の側柱に巻き付けられた第１の一次コイルと、
前記第２のコアの第３の側柱に巻き付けられ、第１の一次コイルに対応した第１の二次コイルと、
前記第１のコアの第２の側柱に巻き付けられた第２の一次コイルと、
前記第２のコアの第４の側柱に巻き付けられ、第２の一次コイルに対応した第２の二次コイルと、
を備え、
前記第１の側柱と第３の側柱が相互に突き合わされ、第１の中央柱と第２の中央柱が相互に突き合わされて第１の磁路を形成し、
前記第２の側柱と第４の側柱が相互に突き合わされ、第１の中央柱と第２の中央柱が相互に突き合わされて第２の磁路を形成し、
前記第１の一次コイル、第１の二次コイル、第１の磁路によって第１のトランスを形成し、
前記第２の一次コイル、第２の二次コイル、第２の磁路によって第２のトランスを形成し、
前記第１の一次コイルと第２の一次コイルは直列にループし、
前記第１の二次コイルの一端と第２の二次コイルの一端にそれぞれ高電圧信号が入力され、第１の二次コイルの他端と第２の二次コイルの他端がそれぞれ照明装置に接続された
マルチランプの駆動回路。
【請求項５】
前記第１の一次コイルが第１の側柱を覆って配置された第１のプラスチック筒に巻き付けられ、
前記第２の一次コイルが第２の側柱を覆って配置された第２のプラスチック筒に巻き付けられた
請求項４のマルチランプの駆動回路。
【請求項６】
前記第１の二次コイルが第３の側柱を覆って配置された第１のプラスチック筒に巻き付けられ、
前記第２の二次コイルが第４の側柱を覆って配置された第２のプラスチック筒に巻き付けられた
請求項４のマルチランプの駆動回路。
【請求項７】
前記照明装置が第１の冷陰極蛍光ランプと第２の冷陰極蛍光ランプを備え、
前記第１の二次コイルと第２の二次コイルが第１の冷陰極蛍光ランプと第２の冷陰極蛍光ランプにそれぞれ接続された
請求項４のマルチランプの駆動回路。
【考案の詳細な説明】
【技術分野】
【０００１】
本考案は、トランスおよびマルチランプ（multi-lamp）の駆動回路に関するものであり、特に少数コアしか必要としないトランスとマルチランプの駆動回路に関するものである。
【背景技術】
【０００２】
近年、液晶ディスプレイパネルのサイズが大型化されており、冷陰極蛍光ランプ（Cold Cathode
Fluorescent Lamps : CCFL）を含むバックライトは、液晶ディスプレイパネルで要求される高品質光源に広く使用されている。
【０００３】
しかし、マルチランプを使用したバックライトにおける最も大きな課題は、液晶ディスプレイパネルの輝度を安定させる光源にするために、それぞれのランプへの電流を等しくして維持することである。
【０００４】
図１Ａは、従来のマルチランプのバックライト１に係る回路図を示す。図１Ｂは、図１Ａで示した従来のマルチランプのバックライト１のトランス１０の回路図を示す。図１Ａと図１Ｂに示すように、マルチランプのバックライト１は一次コイル１００、二次コイル１０２、コア１０４、１０６を備え、一次コイル１００はコア１０４に巻き付けられ、二次コイル１０２はコア１０６に巻き付けられる。特に、トランス１２はトランス１０と同様の構造である。図１Ａに示すように、二次コイル１０２の一端と二次コイル１２２の一端に高電圧信号１４がそれぞれ印加され、ランプ１６と１７を点灯させるために、それぞれの光源１６、１７に電流が供給される。しかし、トランス１０、１２の仕様や電気特性は、製造時に一定とならず、二次コイル１０２と１２２の電流が異なり、ランプ１６と１７の輝度の違いの原因となる。
【先行技術文献】
【特許文献】
【０００５】
【特許文献１】特開２００８−２６８３０７号公報
【考案の概要】
【考案が解決しようとする課題】
【０００６】
さらに、図１Ａに示すマルチランプの駆動回路は、トランス１０と１２により４つのコアが必要である。多くのコアがトランスに使用され、製造時のコストアップとなる。
【課題を解決するための手段】
【０００７】
本考案に係る結合トランスは、第１のコア、第２のコア、第１の一次コイル、第１の二次コイル、第２の一次コイル、第２の二次コイルを備える。
【０００８】
本考案の実施形態によれば、第１のコアは、第１の中央柱、第１の側柱、および第２の側柱を備え、第１の中央柱、第１の側柱、および第２の側柱は接続される。また、第２のコアは、第１の中央柱に突き合わせた第２の中央柱、第１の側柱に突き合わせた第３の側柱、第２の側柱に突き合わせた第４の側柱を備え、第２の中央柱、第３の側柱、および第４の側柱は接続される。
【０００９】
本実施形態によれば、第１の一次コイルは、第１のコアの第１の側柱に巻き付けられる。第１の二次コイルは、第２のコアの第３の側柱に巻き付けられ、第１の二次コイルは、第１の一次コイルに対応する。第２の一次コイルは、第１のコアの第２の側柱に巻き付けられる。第２の二次コイルは、第２のコアの第４の側柱に巻き付けられ、第２の二次コイルは、第２の一次コイルに対応する。
【００１０】
第１の側柱と第３の側柱は相互に突き合わされ、相互に突き合わされる第１の中央柱と第２の中央柱とで、第１の磁路を形成し、また、相互に突き合わされる第１の中央柱と第２の中央柱は、第２の磁路を形成する。さらに、第１の一次コイル、第１の二次コイル、および第１の磁路によって第１のトランスが形成される。第２の一次コイル、第２の二次コイル、第２の磁路によって第２のトランスが形成される。
【００１１】
本考案は、照明装置に使用されるマルチランプの駆動回路を提供する。マルチランプの駆動回路は、上述した構成の結合トランスを少なくとも１つ含む。
【考案の効果】
【００１２】
従来と比較して、本考案の結合トランスは、第１のトランスと第２のトランスを形成するために、２つのコア（第１のコアと第２のコア）を必要とするだけであり、コアの数を減らすことができる。本考案のマルチランプの駆動回路は、結合トランスを用いて構成される。
【００１３】
本考案による課題解決については、後に複数の図面を用いて説明される最適な実施形態に詳述している。
【図面の簡単な説明】
【００１４】
【図１】図１Ａは従来のマルチランプの駆動回路を示す回路図であり、図１Ｂは図１Ａのマルチランプのバックライト装置のトランスの回路図である。
【図２】本考案の実施形態の結合トランスの回路図である。
【図３】本考案の他の実施形態の結合トランスの回路図である。
【図４】図４Ａは本考案の他の実施形態におけるマルチランプの駆動回路の回路図であり、図４Ｂは図４Ａのマルチランプの駆動回路を直列接続した回路図である。
【考案を実施するための形態】
【００１５】
本考案の結合トランス（combined transformer）およびマルチランプの駆動回路を図面を使用して説明する。
【００１６】
図２に本考案の結合トランス３の回路図を示す。図２に示すように、本考案の結合トランス３は第１のコア３１、第２のコア３２、第１の一次コイル３３、第１の二次コイル３３１、第２の一次コイル３４、第２の二次コイル３４１を含む。
【００１７】
第１のコア３１は、第１の中央柱３１１の一端、第１の側柱３１２の一端，および第２の側柱３１３の一端が相互に接続されている。第２のコア３２は、第２の中央柱３２１の一端、第３の側柱３２２の一端，および第４の側柱３２３の一端が相互に接続されている。さらに、第２のコア３２の第２の中央柱３２１の他端は、第１のコア３１の第１の中央柱３１１の他端に突き合わされる。第２のコア３２の第３の側柱３２２の他端は第１コア３１の第１の側柱３１２の他端に突き合わされる。第２のコア３２の第４の側柱３２３の他端は、第１のコア３１の第２の側柱３１３の他端に突き合わされる。
【００１８】
第１の一次コイル３３は、第１のコア３１の第１の側柱３１２に巻き付けられる。第１の二次コイル３３１は、第２のコア３２の第３の側柱３２２に巻き付けられ、第１の二次コイル３３１は、第１の一次コイル３３の二次コイルである。さらに、第２の一次コイル３４は、第１のコア３１の第２の側柱３１３に巻き付けられる。第２の二次コイル３４１は、第２のコア３２の第４の側柱３２３に巻き付けられ、第２の二次コイル３４１は、第２の一次コイル３４の二次コイルである。
【００１９】
第１の側柱３１２と第３の側柱３２２は相互に突き合わされ、第１の中央柱３１１と第２の中央柱３２１が相互に突き合わされ、第１の磁路３５を形成する。第２の側柱３１３と第４の側柱３２３が相互に突き合わされ、第１の中央柱３１１と第２の中央柱３２１が相互に突き合わされ、第２の磁路３６を形成する。さらに、第１の一次コイル３３、第１の二次コイル３３１、および第１の磁路３５が第１のトランス３７を形成する。第２の一次コイル３４、第２の二次コイル３４１、および第２の磁路３６が第２のトランス３８を形成し、第１のトランス３７は、第２のトランス３８に直列に接続される。
【００２０】
図３は、本考案における他の実施形態の結合トランス４の回路図である。図３に示すように、本考案の結合トランス４は第１のコア４１、第２のコア４２、第１の一次コイル４３、第１の二次コイル４３１、第２の一次コイル４４、および第２の二次コイル４４１を含む。
【００２１】
本実施形態は、図３に示すように、第１のコア４１は、第１の中央柱４１１の一端、第１の側柱４１２の一端、および第２の側柱４１３の一端を相互に接続している。第２のコア４２は、第２の中央柱４２１の一端、第３の側柱４２２の一端、第４の側柱４２３の一端を相互に接続している。さらに、第２のコア４２の第２の中央柱４２１の他端は、第１のコア４１の第１の中央柱４１１の他端に突き合わされる。第２のコア４２の第３の側柱４２２の他端は、第１のコア４１の第１の側柱４１２の他端に突き合わされる。第２のコア４２の第４の側柱４２３の他端は、第１のコア４１の第２の側柱４１３の他端に突き合わされる。
【００２２】
第１の一次コイル４３は、第１のプラスチック筒４８の第１の開口４８１の付近に巻き付けられる。第１の二次コイル４３１は、第１のプラスチック筒４８の第２の開口４８２の付近に巻き付けられる。さらに、第２の一次コイル４４は、第２のプラスチック筒４９の第３の開口４９１の付近に巻き付けられる。第２の二次コイル４４１は、第２のプラスチック筒４９の第４の開口４９２の付近に巻き付けられる。
【００２３】
第１の側柱４１２と第３の側柱４２２は、第１のプラスチック筒４８の第１の開口４８１と第２の開口４８２にそれぞれ挿入される。第１の側柱４１２と第３の側柱４２２は互いに突き合わされる。第１の中央柱４１１と第２の中央柱４２１は互いに突き合わされ、第１の磁路４５が形成される。さらに、第２の側柱４１３と第４の側柱４２３は、第２のプラスチック筒４９の第３の開口４９１と第４の開口４９２にそれぞれ挿入される。第２の側柱４１３と第４の側柱４２３は、互いに突き合わされ、第２の磁路４６が形成される。したがって、第１の一次コイル４３，第１の二次コイル４３１、および第１の磁路４５は、第１のトランス４７を形成する。第２の一次コイル４４、第２の二次コイル４４１、第２の磁路４６は第２のトランス４７１を形成する。
【００２４】
本実施形態において、上記のように、一次コイルと二次コイルはプラスチック筒に巻き付けられる。コアの側柱は、プラスチック筒の中に開口から挿入され、トランスが形成される。
【００２５】
図４Ａは本考案の他の実施形態におけるマルチランプの駆動回路５の回路図である。図４Ａに示すように、本考案のマルチランプの駆動回路５は、結合トランス５１を備え、結合トランス５１は、第１のトランス５１１と第２のトランス５１２を形成する。結合トランス５１は、照明装置５２に供給する高電圧信号が入力される。特に、マルチランプの駆動回路５の結合トランス５１は、照明装置５２への電力供給に使用される。第１トランス５１１と第２トランス５１２の形成には、２つのコア（図２、３参照）のみが必要である。
【００２６】
本実施形態において、図４Ａに示すように、第１のトランス５１１は第１の一次コイル５１１１と第１の一次コイル５１１１に対応する第１の二次コイル５１１２を備える。第２のトランス５１２は、第２の一次コイル５１２１と第２の一次コイル５１２１に対応する第２の二次コイル５１２２を備える。第１の一次コイル５１１１と第２の一次コイル５１２１は直列に接続される。
【００２７】
照明装置５２は、第１の冷陰極蛍光ランプ５２１と第２の冷陰極蛍光ランプ５２２を備える。また、第１のトランス５１１の第１の二次コイル５１１２と第２のトランス５１２の第２の二次コイル５１２２は、照明装置５２の第１の冷陰極蛍光ランプ５２１と第２の冷陰極蛍光ランプ５２２にそれぞれ接続される。
【００２８】
高電圧信号５４は、第１のトランス５１１の第１の二次コイル５１１２と第２のトランス５１２の第２の二次コイル５１２２にそれぞれ入力される。特に本実施形態において、高電圧信号５４は三角波であるが、これに限定されない。
【００２９】
高電圧信号５４が、第１のトランス５１１の第１の二次コイル５１１２の一端と第２のトランス５１２の第２の二次コイル５１２２の一端とにそれぞれ入力され、第１の二次コイル５１１２と第２の二次コイル５１２２は第１の一次コイル５１１１と第２の一次コイル５１２１に高電圧信号５４を誘導する。第１の一次コイル５１１１が第２の一次コイル５１２１と直列接続されているため、第２の二次コイル５１２２の電流と同じ電流が第１の二次コイル５１１２に流れる。第１の冷陰極蛍光ランプ５２１の発光輝度は、第２の冷陰極蛍光ランプ５２２の発光輝度とほぼ同じになる。
【００３０】
図４Ｂは図４Ａのマルチランプの駆動回路５を直列に接続した回路図である。図４Ｂに示すように、マルチランプの駆動回路６のワンセットが、図４Ａのマルチランプの駆動回路５に直列に接続されて追加される。マルチランプの駆動回路５と６の構造は同じであるが、説明の便宜上、異なった符号で図示している。
【００３１】
本実施形態において、マルチランプの駆動回路５は、マルチランプの駆動回路６に直列接続される。また、マルチランプの駆動回路５の第２の一次コイル５１２１は、マルチランプの駆動回路６の第１の一次コイル６１１１に直列接続される。さらに、マルチランプの駆動回路５の第１の二次コイル５１１２の一端と第２の二次コイル５１２２の一端、またマルチランプの駆動回路６の第１の二次コイル６１１２の一端と第２の二次コイル６１２２の一端は、相互に電気接続され、高電圧信号５４が供給される。また、マルチランプの駆動回路５の第１の二次コイル５１１２の他端と第２の二次コイル５１２２の他端は、照明装置５２の第１の冷陰極蛍光ランプ５２１と第２の冷陰極蛍光ランプ５２２に電気的に接続される。マルチランプの駆動回路６の第１の二次コイル６１１２の他端と第２の二次コイル６１２２の他端は、照明装置６２の第１の冷陰極蛍光ランプ６２１と第２の冷陰極蛍光ランプ６２２に電気的に接続される。したがって、高電圧信号５４が入力されたとき、照明装置５２と６２の第１の冷陰極蛍光ランプ５２１、第２の冷陰極蛍光ランプ５２２、第１の冷陰極蛍光ランプ６２１、第２の冷陰極蛍光ランプ６２２の発光輝度は、ほぼ同じになる。
【００３２】
特に上記の実施形態は、異なった照明装置から同じ輝度を得るために、マルチランプの駆動回路をマルチランプの駆動回路５に直列接続する方法に関するものである。マルチランプの駆動回路５に直列接続されるマルチランプの駆動回路は１つに限定されず、適宜設定される。
【００３３】
本考案について、最適な実施形態を図示および説明したが、上記実施形態に限定されず、特許請求の範囲、図、および説明した範囲内で種々の改良、修正、変更をしてもよい。
【符号の説明】
【００３４】
３、４：結合トランス
５、６：マルチランプの駆動回路
３１、４１：第１のコア
３１１、４１１：第１の中央柱
３１２、４１２：第１の側柱
３１３、４１３：第２の側柱
３２、４２：第２のコア
３２１、４２１：第２の中央柱
３２２、４２２：第３の側柱
３２３、４２３：第４の側柱
３３、４３、５１１１、６１１１：第１の一次コイル
３３１、４３１、５１１２、６１１２：第１の二次コイル
３４、４４、５１２１：第２の一次コイル
３４１、４４１、５１２２、６１２２：第２の二次コイル
４５：第１の磁路
４６：第２の磁路
４７、５１１：第１のトランス
４７１、５１２：第２のトランス
４８：第１のプラスチック筒
４８１：第１の開口
４８２：第２の開口
４９：第２のプラスチック筒
４９１：第３の開口
４９２：第４の開口
５１：結合トランス
５２、６２：照明装置
５２１、６２１：第１の冷陰極蛍光ランプ
５２２、６２２：第２の冷陰極蛍光ランプ
５４：高電圧信号
【図１】
0003154912.tif 000003
【図２】
0003154912.tif 000004
【図３】
0003154912.tif 000005
【図４】
0003154912.tif 000006